(57)【特許請求の範囲】
【請求項１】
原水口および浄水口が設けられたベース部上にフィルターカートリッジを配置し、該フィルターカートリッジを被うカバー体を該ベース部に対して着脱自在に設けることにより該フィルターカートリッジを交換可能とした浄水器において、カバー体の上端面に内向フランジ部を形成し、該内向フランジ部の下面にフィルターカートリッジの上端面に被着している透明部材を圧下する押圧部を一体に形成すると共に、該内向フランジ部の開口孔の内周面を下方に向けて拡径するテーパ面または段付面に形成し、嵌合部の外周に弾性リングが介装された蓋を該開口孔に着脱自在に嵌合したことを特徴とする浄水器。
【発明の詳細な説明】
【０００１】
【発明の属する技術分野】
本発明は水道水を浄化して使用するために取付けられる家庭用の浄水器に関するものである。
【０００２】
【従来の技術】
水道水中の不純物を取り除いたり、或いは水質を改善するために使用される家庭用の浄水器は、活性炭，中空糸膜等の濾材が収納されたフィルターカートリッジを周知のように定期的に交換する必要があるため、従来からカバー体を取り外すだけで簡単に交換できるように構成されている。
また、特開平７−１０８２６０号公報に開示された浄水器では、カートリッジの上部が透明部材により形成され、カバー体上部に着脱自在に装着された蓋を外してそのカートリッジ内を透視することにより濾材の汚れ具合を見ることができ適切な交換時期を確認できるようにしたものである。
【０００３】
【発明が解決しようとする課題】
ところで、上記カートリッジ上部の透明部材は内側から加わる水圧に耐えられるように球面状に形成され、かつその透明部材がカバー体により押圧されるように構成されていたが、透明部材の外周縁部のみをカバー体により押圧させたものであったので、水圧が上昇すると透明部材が上方に膨脹して破壊するおそれがあった。
【０００４】
また、上記カバー体は、意匠の多様化を目的として樹脂メッキを施すものや施さないものがあったが、そうした場合に表面に出来るメッキ厚の有無によって前記蓋の嵌合が非常にきつくなったり、或いはルーズになったりし、品質のバラツキが著しくなるという問題があった。
【０００５】
【課題を解決するための手段】
本発明は上記のような課題を解決しようとするもので、原水口および浄水口が設けられたベース部上にフィルターカートリッジを配置し、該フィルターカートリッジを被うカバー体を該ベース部に対して着脱自在に設けることにより該フィルターカートリッジを交換可能とした浄水器において、カバー体の上端面に内向フランジ部を形成し、該内向フランジ部の下面にフィルターカートリッジの上端面に被着している透明部材を圧下する押圧部を一体に形成すると共に、該内向フランジ部の開口孔の内周面を下方に向けて拡径するテーパ面または段付面に形成し、嵌合部の外周に弾性リングが介装された蓋を該開口孔に着脱自在に嵌合したことを特徴とする。
【０００６】
【発明の実施の形態】
次に図面と共に本発明の実施の形態を流し台直付型の浄水器について説明する。図１にこの浄水器の側面図、図２にその縦断面図を示す。同図において、１は底部に水道管と連結させる給水管２が垂下状に設けられたベース部、３は該ベース部１の外周に突設された吐水ハンドル、４は該ベース部１の外周で該吐水ハンドル３と直交する方向に突設されたステーパイプで、該ステーパイプ４に浄水吐水パイプ５が支持されている。なお６は流し台のデッキ面を示し、該デッキ面６に給水管２を貫挿し下方よりナット７を締付することにより該ベース部１が取付けられる。
【０００７】
ベース部１の上面には原水口８と浄水口９が隣接状に並設されている。また、ベース部１内は給水管２に連通している室１０と、原水口８に連通している室１１と、ステーパイプ４および浄水口９に連通している室１２とに隔壁をもって区画されている。そして、室１０と室１１とを連通させる弁口１３が開設され、該弁口１３に吐水ハンドル３を回転操作することにより進退動する弁体１４を対設している。なお、１５はベース部１上面の外周縁寄りに隆設された円筒部で、該円筒部１５の外周に螺子溝が形成されている。
【０００８】
２０は濾材２１が収納されたフィルターカートリッジで、該フィルターカートリッジ２０の下面には前記原水口８に嵌着する筒状の原水取付口２２および前記浄水口９に嵌着する筒状の浄水出口２３が夫々突設されている。また、２４は該フィルターカートリッジ２０の上端面に被着し該カートリッジ内を水密シールしている透明部材である。
【０００９】
しかして、２５はフィルターカートリッジ２０を被うカバー体で、該カバー体２５の下端開口縁内周には前記円筒部１５に螺合し得る螺子溝が形成されている。また、該カバー体２５の上端面に内向フランジ部２６が形成され、該フランジ部２６の下面に図３，図４にも示したように環状の押圧部２７が一体に形成され、該カバー体２５を円筒部１５に螺合するに従い該押圧部２７がフィルターカートリッジ２０の透明部材２４上面を圧下し得るようにしている。
【００１０】
また、内向フランジ部２６の開口孔２８は内周面が下方に向けて漸次拡径するテーパ面に形成される。また、３０は嵌合部３１と庇部３２とからなる蓋で、該嵌合部３１の外周にゴム等の弾性体からなる弾性リング３３（この場合Ｏリング）が装着されている。なお、２９はカバー体２５の外周面の上縁部に形成された凹窪で、蓋３０を開けようとする場合に該凹窪のために爪を該庇部３２の外周縁に引掛け易くする。
【００１１】
この浄水器では、吐水ハンドル３を操作し弁体１４を退動させ弁口１３を開ければ、室１０内の原水が室１１，原水口８，原水取付口２２を通ってフィルターカートリッジ２０内に流入し該フィルターカートリッジ２０内を矢印で示したように循環し、濾材２１を通過することにより浄化された浄水が浄水出口２３，浄水口９，室１２，ステーパイプ４を通って浄水吐水パイプ５より吐出される。
そして、カバー体２５を回転させベース部１の円筒部１５との螺合を外すことにより、フィルターカートリッジ２０を簡単に交換できる。そして、その交換の適切な時期は、蓋３０を開けるだけで開口孔２８よりフィルターカートリッジ２０を覗くことができるので、カバー体２５をいちいち外す必要がない。
【００１２】
また上記のように開口孔２８の内周面がテーパ面に形成され、嵌合部３１には弾性リング３３が装着されているので、蓋３０を閉じようとする場合は、開口孔２８の内径に多少の精度誤差があっても嵌合部３１を押し込めば弾性リング３３がいったんは収縮してテーパ面に沿い復元することにより、該嵌合部３１が下方に引張られるような状態で嵌合し、庇部３２を内向フランジ部２６の上面に密着させた状態で常にガタ付きなく嵌着できる。
【００１３】
なお、図５には開口孔２８の内周面が下方に向けて拡径する段付面に形成された実施形態を示す。このように開口孔２８の内周面は段付面としてもその内径の精度を厳密に問うことなく弾性リング３３の弾性によりガタ付きなく、また嵌合状態がきつすぎることもなく常に適切に嵌合することができる。
【００１４】
さらに図６に示した実施形態は、開口孔２８の内周面に定間隔で逃し凹部３４を形成したものがあるが、こうすることでは、嵌合部３１を押し込むときその圧力により弾性リング３３の変形した部分が該凹部３４に収ることで、該弾性リング３３の無用な変形を防ぎ嵌合を一層容易にすることができる。なお、この場合、凹部３４の角部は丸く成形することで弾性リング３３を傷付けないように配慮するのがよい。
【００１５】
このためカバー体２５に例えば樹脂メッキを施したり、施さなかったりして、開口孔２８の内径がそのメッキ厚の有無により誤差が生じても、この嵌合構造ではその誤差を充分に吸収でき常に適度な嵌合具合が得られ品質を安定させることができる。
【００１６】
また、内向フランジ部２６を形成し、該内向フランジ部２６に押圧部２７を形成したことにより、フィルターカートリッジ２０上面の透明部材２４の可及的に中央部寄りを圧下することができるので、該透明部材２４がフィルターカートリッジ２０内の水圧により上方に盛り上がるのを防ぐことができ、その破壊を防止でき異常な水圧上昇に対しても大幅に耐圧性を向上させることができる。
【００１７】
【発明の効果】
このように本発明では、フィルターカートリッジの耐圧性を向上させると共に、開口孔の寸法誤差が比較的大であっても常に蓋を適度な嵌合状態にすることができ品質を保持できるなど有益な効果がある。
【図面の簡単な説明】
【図１】本発明に係る浄水器の側面図。
【図２】図１の浄水器の縦断面図。
【図３】図２の要部拡大図。
【図４】図３のＡ−Ａ線断面図。
【図５】本発明の他の実施形態を示した浄水器の要部拡大図。
【図６】本発明の他の実施形態を示した浄水器の要部横断面図。
【符号の説明】
１        ベース部
２        給水管
３        吐水ハンドル
５        浄水吐水パイプ
８        原水口
９        浄水口
１５      円筒部
２０      フィルターカートリッジ
２１      濾材
２４      透明部材
２５      カバー体
２６      内向フランジ部
２７      押圧部
２８      開口孔
３０      蓋
３１      嵌合部
３２      庇部
３３      弾性リング
３４      凹部
【図１】
0003753820.tif 000002
【図２】
0003753820.tif 000003
【図３】
0003753820.tif 000004
【図４】
0003753820.tif 000005
【図５】
0003753820.tif 000006
【図６】
0003753820.tif 000007